(57)【特許請求の範囲】
【請求項１】
可変容量型の液圧回転機械の傾転角を大きくする流量増加方向および前記傾転角を小さくする流量減少方向に移動するサーボピストンと、
前記サーボピストンを前記流量増加方向に移動させるための第１受圧室および前記サーボピストンを前記流量減少方向に移動させるための第２受圧室であって前記第１受圧室よりも有効断面積の大きな第２受圧室を前記サーボピストンとの間に形成する第１ハウジングと、
前記サーボピストンの側方で前記第１ハウジングに隣接する、前記サーボピストンの軸方向と平行に延びる収容穴が設けられた第２ハウジングと、
前記液圧回転機械のケーシングに形成された供給路と前記第１受圧室を連通する基準流路と、
前記収容穴内に配置され、前記第２受圧室を前記供給路とタンクの双方から遮断する調圧位置から移動したときに前記第２受圧室を移動方向に応じて前記供給路とタンクの一方と連通させるスプールと、
前記収容穴内に配置されたフィードバックピストンと、
前記サーボピストンと前記フィードバックピストンとを連結するフィードバックレバーと、
前記スプールと前記フィードバックピストンとを互いに離間するように付勢するスプリングと、
指令電流と比例する押圧力で前記スプリングと反対側から前記スプールを押圧するソレノイドと、を備え、
前記スプールは、前記ソレノイド側の端部に拡径部を有し、
前記ソレノイドは、前記スプールを押圧するためのプランジャと、前記プランジャに貫通される固定磁極と、前記プランジャが固定された可動鉄心と、前記スプールの拡径部を囲繞する筒状部と、を含み、
前記収容穴内に配置された、スプリングによって前記ソレノイドの筒状部に押し付けられたストッパーリングをさらに備え、
前記ソレノイドに指令電流が供給されて前記可動鉄心が前記固定磁極に向かって前進させられたときに、前記可動鉄心が前記固定磁極に当接する前に前記拡径部が前記ストッパーリングに当接する、液圧回転機械の傾転角制御装置。
【請求項２】
前記収容穴内に配置された、前記スプールが挿通されるスリーブであって、前記基準流路と接続された入力ポートおよび前記第２受圧室と接続された出力ポートが形成されたスリーブをさらに備え、
前記スプールは、前記出力ポートを開閉するランド部を有する、請求項１に記載の液圧回転機械の傾転角制御装置。
【発明の詳細な説明】
【技術分野】
【０００１】
本発明は、可変容量型の液圧回転機械の傾転角制御装置に関する。
【背景技術】
【０００２】
可変容量型の液圧回転機械には、傾転角に応じて吐出流量が変更可能な液圧ポンプと、傾転角に応じて回転速度が変更可能な液圧モータがある。このような液圧回転機械の傾転角は、傾転角制御装置により制御される。
【０００３】
例えば、特許文献１には、図８に示すような液圧モータ１１０の傾転角制御装置１００が開示されている。この傾転角制御装置１００は、電気信号により液圧モータ１１０の傾転角を二段階で切り換えるものである。
【０００４】
具体的に、傾転角制御装置１００は、液圧モータ１１０の傾転角を大きくする流量増加方向および傾転角を小さくする流量減少方向に移動するサーボピストン１２０と、サーボピストン１２０との間に第１受圧室１３１および第２受圧室１３２を形成するハウジング１３０を含む。第１受圧室１３１は、サーボピストン１２０を流量増加方向に移動させるためのものであり、第２受圧室１３２は、サーボピストン１２０を流量減少方向に移動させるためのものである。第２受圧室１３２の断面積は、第１受圧室１３１の断面積よりも大きい。
【０００５】
第１受圧室１３１には、液圧モータ１１０へ流入する液圧の圧力（一対の給排路１１１，１１２のうちの高い方の圧力）が導かれる。第２受圧室１３２は、電磁弁１４０と接続されている。電磁弁１４０は、指令電流が送給されないときは第２受圧室１３２をタンクと連通する。これにより、液圧モータ１１０の傾転角が最大とされる。一方、電磁弁１４０は、指令電流が送給されたときに、液圧モータ１１０へ流入する液圧の圧力を第２受圧室１３２へ導く。これにより、液圧モータ１１０の傾転角が最小とされる。
【先行技術文献】
【特許文献】
【０００６】
【特許文献１】国際公開第２０１４／１４１８４９号
【発明の概要】
【発明が解決しようとする課題】
【０００７】
ところで、液圧回転機械の傾転角については、電気信号に応じて傾転角を任意の角度に調整したいという要望がある。
【０００８】
そこで、本発明は、液圧回転機械の傾転角を電気信号に応じて任意の角度に調整できるようにすることを目的とする。
【課題を解決するための手段】
【０００９】
前記課題を解決するために、本発明は、可変容量型の液圧回転機械の傾転角を大きくする流量増加方向および前記傾転角を小さくする流量減少方向に移動するサーボピストンと、前記サーボピストンを前記流量増加方向に移動させるための第１受圧室および前記サーボピストンを前記流量減少方向に移動させるための第２受圧室であって前記第１受圧室よりも有効断面積の大きな第２受圧室を前記サーボピストンとの間に形成する第１ハウジングと、前記サーボピストンの側方で前記第１ハウジングに隣接する、前記サーボピストンの軸方向と平行に延びる収容穴が設けられた第２ハウジングと、前記液圧回転機械のケーシングに形成された供給路と前記第１受圧室を連通する基準流路と、前記収容穴内に配置され、前記第２受圧室を前記供給路とタンクの双方から遮断する調圧位置から移動したときに前記第２受圧室を移動方向に応じて前記供給路とタンクの一方と連通させるスプールと、前記収容穴内に配置されたフィードバックピストンと、前記サーボピストンと前記フィードバックピストンとを連結するフィードバックレバーと、前記スプールと前記フィードバックレバーとを互いに離間するように付勢するスプリングと、指令電流と比例する押圧力で前記スプリングと反対側から前記スプールを押圧するソレノイドと、を備える、液圧回転機械の傾転角制御装置を提供する。
【００１０】
上記の構成によれば、スプールが調圧位置に位置する状態でソレノイドへの指令電流を変更すると、第２受圧室へ導かれる圧力が変わり、サーボピストンが移動する。サーボピストンが移動すると、フィードバックピストンも移動するため、スプリングによるスプールの付勢力が変わる。そして、ソレノイドによるスプールの押圧力とスプリングによるスプールの付勢力が釣り合うと、スプールが再び調圧位置に位置する。このような原理によって、ソレノイドへの指令電流の変更量分だけ、サーボピストンが移動する（つまり、液圧回転機械の傾転角が変わる）。従って、液圧回転機械の傾転角を電気信号に応じて任意の角度に調整することができる。
【００１１】
例えば、上記の傾転角制御装置は、前記収容穴内に配置された、前記スプールが挿通されるスリーブであって、前記基準流路と接続された入力ポートおよび前記第２受圧室と接続された出力ポートが形成されたスリーブをさらに備え、前記スプールは、前記出力ポートを開閉するランド部を有してもよい。
【００１２】
前記スプールは、前記ソレノイド側の端部に拡径部を有し、前記ソレノイドは、前記スプールを押圧するためのプランジャと、前記プランジャに貫通される固定磁極と、前記プランジャが固定された可動鉄心と、前記スプールの拡径部を囲繞する筒状部と、を含み、上記の傾転角制御装置は、前記収容穴内に配置された、スプリングによって前記ソレノイドの筒状部に押し付けられたストッパーリングをさらに備え、前記ソレノイドに指令電流が供給されて前記可動鉄心が前記固定磁極に向かって前進させられたときに、前記可動鉄心が前記固定磁極に当接する前に前記拡径部が前記ストッパーリングに当接してもよい。
【００１３】
スプールのストロークエンドを設定するためにソレノイドの固定磁極を可動鉄心のストッパーとして使用した場合には、固定磁極への可動鉄心の吸着によって、ストロークエンドの近傍で、指令電流によらずに傾転角が急激に変化することがある。この現象は、ソレノイドに電流ディザを印加した場合（ソレノイドへの指令電流を振動させた場合）でも発生する。これに対し、収容穴内に配置されたストッパーリングを用いてスプールのストロークエンドを設定すれば、ストロークエンドの近傍でも、指令電流による傾転角の連続変化性を確保することができる。
【発明の効果】
【００１４】
本発明によれば、液圧回転機械の傾転角を電気信号に応じて任意の角度に調整することができる。
【図面の簡単な説明】
【００１５】
【図１】本発明の一実施形態に係る液圧回転機械の傾転角制御装置の液圧回路図である。
【図２】第１実施形態におけるソレノイドへの指令電流と傾転角との関係を示すグラフである。
【図３】図１に示す傾転角制御装置の断面図である。
【図４】図３におけるサーボピストン回りの拡大図である。
【図５】図３におけるスプール回りの拡大図である。
【図６】変形例の傾転角制御装置の液圧回路図である。
【図７】別の変形例の傾転角制御装置の液圧回路図である。
【図８】従来の液圧モータの傾転角制御装置の液圧回路図である。
【発明を実施するための形態】
【００１６】
図１に、本発明の一実施形態に係る、可変容量型の液圧回転機械１の傾転角制御装置２Ａを示す。本実施形態では、液圧回転機械１が液圧モータ１Ａである。ただし、液圧回転機械１は、液圧ポンプであってもよい。
【００１７】
本実施形態では、傾転角制御装置２Ａが、図２に示すように後述するソレノイド９への指令電流と傾転角（つまり、押しのけ容積）が負の相関を示すネガティブ型である。ただし、本発明の傾転角制御装置は、指令電流と傾転角が正の相関を示すポジティブ型であってもよい。
【００１８】
図１および図３に示すように、液圧モータ１Ａは、斜板１１とシリンダブロック１２が第１ケーシング１３および第２ケーシング１４で包み込まれた構造を有している。シリンダブロック１２を支持する第１ケーシング１３には、一対の給排路１ａ，１ｂが形成されている。第２ケーシング１４は、内部が空洞のカバーである。第１ケーシング１３および第２ケーシング１４で囲まれる空間は、液圧モータ１Ａの作動用の作動液（典型的には、作動油）で満たされており、タンクと連通している。
【００１９】
傾転角制御装置２Ａは、液圧モータ１Ａの第１ケーシング１３と一体となった第１ハウジング３Ａと、第１ハウジング３Ａに取り付けられた第２ハウジング３Ｂを含む。ただし、第１ハウジング３Ａは、第１ケーシング１３と別体となっていてもよい。この場合、第２ハウジング３Ｂは、第１ハウジング３Ａと一体となっていてもよい。
【００２０】
第１ハウジング３Ａには、サーボピストン４が摺動可能に保持されている。第２ハウジング３Ｂは、サーボピストン４の側方で第１ハウジング３Ａに隣接している。本実施形態では、サーボピストン４の軸方向が液圧モータ１Ａの軸方向と平行であるが、サーボピストン４の軸方向は液圧モータ１Ａの軸方向に対して傾斜していてもよい。以下、説明の便宜上、液圧モータ１Ａの軸方向のうち第２ケーシング１４側（図３の左方）を前方、第１ケーシング１３側（図３の右方）を後方という。
【００２１】
サーボピストン４は、前後方向に延びるロッド２１により液圧モータ１Ａの斜板１１と連結されている。より詳しくは、ロッド２１の前端部がピン２２ａにより斜板１１と結合されており、ロッド２１の後端部がピン２２ｂによりサーボピストン４の前端部と結合されている。ただし、ピン２２ａによる結合に代えて、スプリングによって斜板１１をロッド２１の前端部に押圧してもよい。この場合、ロッド２１が省略されてもよい。
【００２２】
サーボピストン４が後方に移動すると、液圧モータ１Ａの軸方向と直交する面に対する斜板１１の角度である液圧モータ１Ａの傾転角が大きくなり、サーボピストン４が前方に移動すると、液圧モータ１Ａの傾転角が小さくなる。つまり、サーボピストン４に関しては、後方が流量増加方向であり、前方が流量減少方向である。
【００２３】
図４に示すように、第１ハウジング３Ａは、サーボピストン４との間に第１受圧室３１および第２受圧室３２を形成する。第１受圧室３１は、サーボピストン４を流量増加方向（後方）に移動させるためのものであり、第２受圧室３２は、サーボピストン４を流量減少方向（前方）に移動するためのものである。第２受圧室３２の有効断面積は、第１受圧室３１の有効断面積よりも大きい。有効断面積については、後述する。
【００２４】
サーボピストン４は、前後方向に延びる周壁４１と、周壁４１の内側を後方から閉塞する底壁４２と、周壁４１の後端部から径方向外向きに突出するフランジ４３を有する。本実施形態では、フランジ４３の後面が底壁４２の後面と面一であるが、それらは前後方向にずれていてもよい。上述したロッド２１の後端部は、周壁４１の前端部内に挿入されている。上述した第１受圧室３１は、フランジ４３の前面および周壁４１の外周面に面する空間であり、第２受圧室３２は、フランジ４３の後面および底壁４２の後面に面する空間である。
【００２５】
上述した第１受圧室３１の有効断面積は、サーボピストン４の軸方向から見たときの、フランジ４３の外周面と周壁４１の外周面の間の面積であり、第２受圧室３２の有効断面積は、サーボピストン４の軸方向から見たときの、フランジ４３の外周面と後述する規定部材２３の軸部２３ｂの周面との間の面積である。
【００２６】
本実施形態では、液圧回転機械１が液圧モータ１Ａであるため、第１受圧室３１が基準流路３６により一対の給排路１ａ，１ｂと接続されている。基準流路３６は、第１受圧室３１に接続された１本の主流路と、一対の給排路１ａ，１ｂに接続された２本の分岐路を含む。各分岐路には、逆止弁３ａが設けられている。つまり、基準流路３６は、一対の給排路１ａ，１ｂのうち圧力が高い方の給排路を第１受圧室３１と連通する。給排路１ａ，１ｂのうち、圧力が高い方が、液圧モータ１Ａへ作動液を供給する供給路として機能し、圧力が低い方が、液圧モータ１Ａから作動油を排出する排出路として機能する。一方、第２受圧室３２は、調圧路３８により後述するスリーブ７の出力ポート７３と接続されている。調圧路３８については、後述する。
【００２７】
サーボピストン４は、規定部材２３に当接するまで前進可能である。つまり、規定部材２３は、最小傾転角を規定する。規定部材２３は、前後方向に延びる棒状部材である。
【００２８】
より詳しくは、図４に示すように、規定部材２３は、サーボピストン４の周壁４１内に位置するヘッド２３ａと、ヘッド２３ａから底壁４２を貫通して後方へ延びる軸部２３ｂを有している。軸部２３ｂの後側部分にはネジ山（図示せず）が形成されている。規定部材２３は、ネジ穴を有する固定部材２４およびナット２５を介して第１ハウジング３Ａに固定されている。
【００２９】
図３に示すように、第２ハウジング３Ｂには、サーボピストン４の軸方向と平行に延びる収容穴３３が設けられている。本実施形態では、収容穴３３が第２ハウジング３Ｂを前後方向に貫通している。収容穴３３の前側開口は、第２ハウジング３Ｂの前面に取り付けられたキャップ３４によって閉塞されており、収容穴３３の後側開口は、第２ハウジング３Ｂの後面に取り付けられたソレノイド９によって閉塞されている。
【００３０】
収容穴３３内には、フィードバックピストン５４、スリーブ７およびスプール８が配置されている。フィードバックピストン５４は、収容穴３３の前側に位置しており、スリーブ７は、収容穴３３の後側に位置している。スプール８は、スリーブ７に挿通されている。フィードバックピストン５４とスプール８の間には、第１スプリング６１およびスプリング座６２が配置されている。
【００３１】
フィードバックピストン５４は、第２ハウジング３Ｂに摺動可能に保持されている。また、フィードバックピストン５４は、フィードバックレバー５１によってサーボピストン４と連結されている。フィードバックレバー５１は、サーボピストン４とフィードバックピストン５４とに跨る長さを有しており、略中央でピン５２によって揺動可能に支持されている。ピン５２は、第２ハウジング３Ｂに固定されている。
【００３２】
より詳しくは、フィードバックレバー５１は、サーボピストン４に係合する一端を有している。サーボピストン４の周壁４１の前端部には、係合穴４４（図４参照）が形成されており、この係合穴４４にフィードバックレバー５１の一端が挿入されている。一方、フィードバックレバー５１の他端には、係合ピン５３が設けられている。
【００３３】
フィードバックピストン５４は、管状の部材であり、軸方向と直交する方向に延びるスリット５５が設けられている。このスリット５５に、フィードバックレバー５１の他端に設けられた係合ピン５３が係合している。このため、サーボピストン４が前方に移動すると、フィードバックレバー５１の図３における時計回りの揺動によってフィードバックピストン５４が後方に移動し、サーボピストン４が後方に移動すると、フィードバックレバー５１の図３における反時計回りの揺動によってフィードバックピストン５４が前方に移動する。
【００３４】
フィードバックピストン５４の内周面には、後側部分に拡径によって段差部５６が形成されており、この段差部５６内に第１スプリング６１の前側部分が挿入されている。第１スプリング６１は、スプリング座６２を介してスプール８の前端部を押圧する。換言すれば、第１スプリング６１は、フィードバックピストン５４とスプール８とを互いに離間するように付勢する。ただし、スプール８の形状によっては、第１スプリング６１がスプール８の前端部を直接的に押圧してもよい。
【００３５】
図５に示すように、収容穴３３の略中央には、リング状の突起３５が形成されている。スリーブ７は、収容穴３３内に配置された第２スプリング６３によって突起３５に押し付けられている。
【００３６】
スリーブ７には、前側から順に、タンクポート７２、出力ポート７３および入力ポート７１が形成されている。タンクポート７２、出力ポート７３および入力ポート７１のそれぞれは、スリーブ７の外周面に形成された周方向に連続する溝と、前記溝からスリーブ７の内周面に至る複数の貫通穴とで構成される。
【００３７】
図１に示すように、入力ポート７１は、入力路３７により基準流路３６の主流路と接続されており、タンクポート７２は、タンク路７４によりタンクと接続されている。本実施形態では、スプリング座６２のスリーブ７への当接によって、スリーブ７の内側と収容穴３３の突起３５よりも前側部分との連通が切断されることがある。タンクポート７２は、その切断に対処するためのものである。ただし、スリーブ７の内側と収容穴３３の突起３５よりも前側部分との連通が常に確保される場合は、タンクポート７２は省略可能である。出力ポート７３は、上述したように、調圧路３８により第２受圧室３２と接続されている。
【００３８】
調圧路３８には、絞り３ｂが設けられている。また、調圧路３８には、絞り３ｂをバイパスするバイパス路３９が接続されている。バイパス路３９には、第２受圧室３２から出力ポート７３への流れは許容する一方、出力ポート７３から第２受圧室３２の流れは禁止する逆止弁３ｃが設けられている。
【００３９】
スプール８は、通常は、第２受圧室３２を上述した供給路（給排路１ａ，１ｂのうちの圧力の高い方）とタンクの双方から遮断する調圧位置に位置する。そして、スプール８は、調圧位置から移動したときに、第２受圧室３２を移動方向に応じて供給路とタンクの一方と連通させる。具体的に、スプール８は、図５に示すように、第１小径部８１、第１ランド部８２、第２小径部８３、第２ランド部８４、第３小径部８５および拡径部８６を有し、これらの部８１〜８６は、前側からこの順に並んでいる。つまり、拡径部８６は、スプール８の後端部（ソレノイド９側の端部）に位置する。
【００４０】
第１ランド部８２は、スプール８が調圧位置に位置するときに出力ポート７３を閉じ、スプール８が調圧位置から移動したときに出力ポート７３を開く。出力ポート７３は、スプール８が調圧位置から後方に移動したときに、第１小径部８１とスリーブ７の内周面の間の環状流路を通じて収容穴３３の突起３５よりも前側部分およびタンクポート７２と連通する。逆に、スプール８が調圧位置から前方に移動したときに、出力ポート７３は、第２小径部８３とスリーブ７の内周面の間の環状流路を通じて入力ポート７１と連通する。第２ランド部８４は、第２小径部８３とスリーブ７の内周面の間の隙間を後方から閉塞する役割を果たす。
【００４１】
ソレノイド９は、当該ソレノイド９に送給される指令電流と比例する押圧力で第１スプリング６１と反対側からスプール８を押圧する。具体的に、ソレノイド９は、図５に示すように、スプール８の後端部を押圧するための前後方向に延びるプランジャ９３と、プランジャ９３に貫通された固定磁極９２と、プランジャ９３の後端が固定された可動鉄心９４を含む。さらに、ソレノイド９は、収容穴３３内に挿入されて、スプール８の拡径部８６を囲繞する筒状部９１を含む。
【００４２】
一方、収容穴３３内には、筒状部９１の近傍にストッパーリング６４が配置されている。ストッパーリング６４は、上述した第２スプリング６３によって筒状部９１に押し付けられている。ストッパーリング６４の内径は、スプール８の拡径部８６の直径よりも小さい。
【００４３】
スプール８が調圧位置に位置するとき、スプール８の拡径部８６とストッパーリング６４の間には隙間Ｓ２が形成されている。この隙間Ｓ２は、ソレノイド９の可動鉄心９４と固定磁極９２の間の隙間Ｓ１よりも小さい。このため、ソレノイド９に指令電流が供給されて可動鉄心９４が固定磁極９２に向かって前進させられたときに、可動鉄心９４が固定磁極９２に当接する前にスプール８の拡径部８６がストッパーリング６４に当接する。
【００４４】
ソレノイド９には、電流ディザが印加される。つまり、ソレノイド９への指令電流が振動させられる。このような電流ディザによって、スプール８が安定的に移動する。ただし、ソレノイド９に電流ディザが印加されなくてもよい。
【００４５】
以上説明した構成の傾転角制御装置２Ａでは、スプール８が調圧位置に位置する状態でソレノイド９への指令電流を変更すると、第２受圧室３２へ導かれる圧力が変わり、サーボピストン４が移動する。サーボピストン４が移動すると、フィードバックピストン５４も移動するため、第１スプリング６１によるスプール８の付勢力が変わる。そして、ソレノイド９によるスプール８の押圧力と第１スプリング６１によるスプール８の付勢力が釣り合うと、スプール８が再び調圧位置に位置する。このような原理によって、ソレノイド９への指令電流の変更量分だけ、サーボピストン４が移動する（つまり、液圧モータ１Ａの傾転角が変わる）。従って、液圧モータ１Ａの傾転角を電気信号に応じて任意の角度に調整することができる。
【００４６】
しかも、本実施形態では、サーボピストン４の位置を第１スプリング６１の付勢力でフィードバックしているので、スプール８のストロークは短くても十分である。従って、小型のソレノイド９を使用することができる。
【００４７】
さらに、本実施形態では、収容穴３３内にスプール８の拡径部８６との当接用のストッパーリング６４が配置されている。スプール８のストロークエンドを設定するためにソレノイド９の固定磁極９２を可動鉄心９４のストッパーとして使用した場合には、固定磁極９２への可動鉄心９４の吸着によって、ストロークエンドの近傍で、指令電流によらずに傾転角が急激に変化することがある。この現象は、ソレノイド９に電流ディザを印加した場合でも発生する。これに対し、収容穴３３内に配置されたストッパーリング６４を用いてスプール８のストロークエンドを設定すれば、ストロークエンドの近傍でも、指令電流による傾転角の連続変化性を確保することができる。
【００４８】
（その他の実施形態）
本発明は上述した実施形態に限定されるものではなく、本発明の要旨を逸脱しない範囲で種々の変形が可能である。
【００４９】
例えば、図６に示すように、液圧回転機械１が液圧ポンプ１Ｂである場合は、基準流路３６が吐出路１ｄから分岐する１本の流路であってもよい。これにより、液圧ポンプ１Ｂの傾転角制御装置２Ｂを実現できる。液圧ポンプ１Ｂは、一対の給排路１ａ，１ｂの代わりに、吸入路１ｃおよび吐出路１ｄを有する点以外は、液圧モータ１Ａと同様の構造を有している。
【００５０】
また、図７に示すように、フィードバックレバー５１を揺動可能に支持するピン５２をフィードバックピストン５４に対してサーボピストン４と反対側に配置するとともに、スリーブ７の入力ポート７１とタンクポート７２の位置を入れ替えれば、ポジティブ型の傾転角制御装置２Ｃを実現できる。この変形は、図６に示す液圧ポンプ１Ｂの傾転角制御装置２Ｂにも適用可能である。
【００５１】
また、スリーブ７が省略されて、入力ポート７１、タンクポート７２および出力ポート７３が第２ハウジング３Ｂに形成されてもよい。
【符号の説明】
【００５２】
１    液圧回転機械
１ａ，１ｂ  給排路（供給路）
１ｃ  吐出路（供給路）
１３，１４  ケーシング
２Ａ〜２Ｃ  傾転角制御装置
３Ａ  第１ハウジング
３Ｂ  第２ハウジング
３１  第１受圧室
３２  第２受圧室
３４  収容穴
３５  基準流路
４    サーボピストン
５１  フィードバックレバー
５４  フィードバックピストン
６１  第１スピリング
６３  第２スプリング
６４  ストッパーリング
７    スリーブ
７１  入力ポート
７２  タンクポート
７３  出力ポート
８    スプール
８２，８４  ランド部
８６  拡径部
９    ソレノイド
９１  筒状部
９２  固定磁極
９３  プランジャ
９４  可動鉄心
【図１】
0006749137.tif 000002
【図２】
0006749137.tif 000003
【図３】
0006749137.tif 000004
【図４】
0006749137.tif 000005
【図５】
0006749137.tif 000006
【図６】
0006749137.tif 000007
【図７】
0006749137.tif 000008
【図８】
0006749137.tif 000009